(57)【要約】【課題】  各ＣＩＳの白色基準値のばらつきを抑え、各ＣＩＳで共通の白色基準値を備えるよう、調整可能とすることを目的とする。【解決手段】  基準白板を有し、複数のイメージセンサによって読み取られた画像データの出力値をつなぎ合わせることによって原稿全体に係る画像データを読み取る画像読み取り装置であって、イメージセンサ毎に、信号増幅手段と、対応するイメージセンサから出力されるアナログ値をデジタル値に変換するＡ／Ｄ変換手段と、を有し、各イメージセンサが、基準白板を読み取る際に、各イメージセンサによる読み取り値が所定値に揃うよう、信号増幅手段の増幅率を各イメージセンサ毎に個別に調整する読み取り制御手段を有することによって上記課題を解決する。【選択図】  図４
2005198258.tif 000002
【特許請求の範囲】
【請求項１】
基準白板を有し、複数のイメージセンサによって読み取られた画像データの出力値をつなぎ合わせることによって原稿全体に係る画像データを読み取る画像読み取り装置であって、
前記イメージセンサ毎に、
信号増幅手段と、
対応するイメージセンサから出力されるアナログ値をデジタル値に変換するＡ／Ｄ変換手段と、
を有し、
各イメージセンサが、前記基準白板を読み取る際に、各イメージセンサによる読み取り値が所定値に揃うよう、前記信号増幅手段の増幅率を各イメージセンサ毎に個別に調整する読み取り制御手段を有することを特徴とする画像読み取り装置。
【請求項２】
前記読み取り制御手段は、前記イメージセンサから出力されるアナログ値のピーク値と、前記所定値と、が一致するよう、前記信号増幅手段の増幅率を各イメージセンサ毎に調整することを特徴とする請求項１記載の画像読み取り装置。
【請求項３】
前記イメージセンサ毎に、光源を更に有し、
前記読み取り制御手段は、前記光源の点灯と、消灯と、を、前記イメージセンサ毎に順番に行うことによって、前記信号増幅手段の増幅率の調整を行うことを特徴とする請求項１又は２記載の画像読み取り装置。
【請求項４】
前記読み取り制御手段が調整中のイメージセンサを除いた全てのイメージセンサに対応する前記光源は点灯されないため、該イメージセンサに対応する前記Ａ／Ｄ変換手段においてアナログ値から変換されたデジタル値は、ゼロ又はゼロに近い値であることを特徴とする請求項３記載の画像読み取り装置。
【請求項５】
光源と、前記信号増幅手段の増幅率調整後の調整値を記憶する記憶手段と、を更に有し、
前記読み取り制御手段は、前記光源を全て点灯させたうえで、ある１つの信号増幅手段を除く全ての信号増幅手段について増幅率を最低値に設定し、前記ある１つの信号増幅手段の増幅率の調整後、前記調整値を前記記憶手段に記憶することを特徴とする請求項１又は２記載の画像読み取り装置。
【請求項６】
前記読み取り制御手段は、全ての前記信号増幅手段について、増幅率の調整を行なった後、前記記録手段より各信号増幅手段の調整値を取り出して、対応する各信号増幅手段に渡すことを特徴とする請求項５記載の画像読み取り装置。
【請求項７】
前記光源は、イメージセンサ毎に存在することを特徴とする請求項５又は６記載の画像読み取り装置。
【請求項８】
前記光源は、各イメージセンサに共通で、１つだけ存在することを特徴とする請求項５又は６記載の画像読み取り装置。
【請求項９】
画像を形成する画像形成装置であって、
請求項１乃至８何れか一項記載の画像読み取り装置を含み、
前記イメージセンサ毎に調整された、前記基準白板の読み取り値に基づいて、画像を形成する画像形成処理手段を有することを特徴とする画像形成装置。
【請求項１０】
基準白板を有し、複数のイメージセンサによって読み取られた画像データの出力値をつなぎ合わせることによって原稿全体に係る画像データを読み取る画像読み取り装置における画像読み取り方法であって、
前記画像読み取り装置は、前記イメージセンサ毎に、信号増幅手段と、対応するイメージセンサから出力されるアナログ値をデジタル値に変換するＡ／Ｄ変換手段と、を有し、
各イメージセンサが、前記基準白板を読み取る際に、各イメージセンサによる読み取り値が所定値に揃うよう、前記信号増幅手段の増幅率を各イメージセンサ毎に個別に調整する読み取り制御段階を有することを特徴とする画像読み取り方法。
【請求項１１】
前記読み取り制御段階は、前記イメージセンサから出力されるアナログ値のピーク値と、前記所定値と、が一致するよう、前記信号増幅手段の増幅率を各イメージセンサ毎に調整することを特徴とする請求項１０記載の画像読み取り方法。
【請求項１２】
前記画像読み取り装置は、前記イメージセンサ毎に、光源を更に有し、
前記読み取り制御段階は、前記光源の点灯と、消灯と、を、前記イメージセンサ毎に順番に行うことによって、前記信号増幅手段の増幅率の調整を行うことを特徴とする請求項１０又は１１記載の画像読み取り方法。
【請求項１３】
前記読み取り制御段階における調整中のイメージセンサを除いた全てのイメージセンサに対応する光源は点灯されないため、該イメージセンサに対応する前記Ａ／Ｄ変換手段においてアナログ値から変換されたデジタル値は、ゼロ又はゼロに近い値であることを特徴とする請求項１２記載の画像読み取り方法。
【請求項１４】
前記画像読み取り装置は、光源と、前記信号増幅手段の増幅率調整後の調整値を記憶する記憶手段と、を更に有し、
前記読み取り制御段階は、
前記光源を全て点灯させたうえで、ある１つの信号増幅手段を除く全ての信号増幅手段について増幅率を最低値に設定する最低値設定段階と、
前記ある１つの信号増幅手段の増幅率の調整後、前記調整値を前記記憶手段に記憶する調整値記憶段階と、
を含むことを特徴とする請求項１０又は１１記載の画像読み取り方法。
【請求項１５】
前記読み取り制御段階は、全ての前記信号増幅手段について、増幅率の調整を行なった後、前記記録手段より各信号増幅手段の調整値を取り出して、対応する各信号増幅手段に渡す調整値提供段階を更に含むことを特徴とする請求項１４記載の画像読み取り方法。
【請求項１６】
前記光源は、イメージセンサ毎に存在することを特徴とする請求項１４又は１５記載の画像読み取り方法。
【請求項１７】
前記光源は、各イメージセンサに共通で、１つだけ存在することを特徴とする請求項１４又は１５記載の画像読み取り方法。
【請求項１８】
画像を形成する画像形成装置における画像形成方法であって、
前記画像形成装置は、基準白板を有し、複数のイメージセンサによって読み取られた画像データの出力値をつなぎ合わせることによって原稿全体に係る画像データを読み取る画像読み取り装置を含み、該画像読み取り装置は、前記イメージセンサ毎に、信号増幅手段と、対応するイメージセンサから出力されるアナログ値をデジタル値に変換するＡ／Ｄ変換手段と、を有し、
前記画像読取装置が、各イメージセンサが、前記基準白板を読み取る際に、各イメージセンサによる読み取り値が所定値に揃うよう、前記信号増幅手段の増幅率を各イメージセンサ毎に個別に調整する読み取り制御段階と、
前記画像形成装置が、前記イメージセンサ毎に調整された、前記読み取り値に基づいて、画像を形成する画像形成処理段階と、
を有することを特徴とする画像形成方法。
【発明の詳細な説明】
【技術分野】
【０００１】
本発明は、画像読み取り装置、画像形成装置、画像読み取り方法及び画像形成方法に関する。
【背景技術】
【０００２】
従来のＡ０紙サイズ対応の画像形成装置においては、一般的に１つの密着イメージセンサ（以下、単にＣＩＳという）を用いていた。つまり、Ａ０紙幅に相当する長さのＣＩＳを用いることによって、原稿の読み取りを行っていた。ところが、Ａ０紙幅に対応するＣＩＳは当然大型化することになり、製造コストがかかり、値段が高くなる傾向があった。
【０００３】
そのため、図１に示されるように、Ａ４紙サイズ対応相当の５本のＣＩＳを千鳥状に配置することによって、原稿を読み取る画像読み取り装置等が既に開示されている。図１は、画像読み取り装置のＣＩＳ配置図である。
【０００４】
ところで、原稿を読み取る際には、基準となる白色を画像形成装置等が正しく認識することが、画像形成の仕上がりに影響することが既に知られている。そのため、白色基準調整と呼ばれる、画像形成装置等に白を正しく認識させる調整が必須であった。ここで、白色基準調整とは、画像形成前に光源から発した光によって、ＣＩＳから出力される値をアンプ（又は信号増幅器）によってある出力基準値まで上げる調整（ゲイン調整）のことである。
【０００５】
これまでＡ０紙サイズに対応した一般的な画像形成装置等に用いられていたＣＩＳは１つであったため、白色基準調整で問題が発生したとしても、１つのＣＩＳ内部での白色基準のばらつきは、後工程である画像処理工程で調整することによって、ばらつきを抑えることは可能であった。
【特許文献１】特開２００１−１５７００６号公報
【発明の開示】
【発明が解決しようとする課題】
【０００６】
しかしながら、上述したように、複数のＣＩＳを千鳥状に配置して、Ａ０紙サイズ相当の原稿の読み取りを行っている画像読み取り装置の場合、一つの光源から発せられる同一の光によって各ＣＩＳの白色基準調整を行ったとしても、白色基準調整するアンプ（又は信号増幅器）も一つしか備えていないため、図２に示されるように一つのＣＩＳ（例えば、図２のＣＩＳｍ）については出力基準値Ａに白色基準調整されるが、他のＣＩＳについては出力基準調整Ａまで白色基準調整することができず、各ＣＩＳの出力最大値が揃わずに、ばらつきが生じてしまう問題があった。図２は、複数個のＣＩＳを設置したときの信号レベルの一例を示す図である。
【０００７】
また、ＣＩＳ毎に白色基準が異なることになり、同じ白色を読んだとしてもＣＩＳ毎に出力画像が異なることになり、例えば白色と発色されるべき箇所が灰色に発色するなど、画像形成後の仕上がり画像も乱れる問題があった。
【０００８】
本発明は、上記の点に鑑みなされたもので、各ＣＩＳの白色基準値のばらつきを抑え、各ＣＩＳで共通の白色基準値を備えるよう、調整可能とすることを目的とする。
【課題を解決するための手段】
【０００９】
そこで、上記課題を解決するため、本発明は、基準白板を有し、複数のイメージセンサによって読み取られた画像データの出力値をつなぎ合わせることによって原稿全体に係る画像データを読み取る画像読み取り装置であって、前記イメージセンサ毎に、信号増幅手段と、対応するイメージセンサから出力されるアナログ値をデジタル値に変換するＡ／Ｄ変換手段と、を有し、各イメージセンサが、前記基準白板を読み取る際に、各イメージセンサによる読み取り値が所定値に揃うよう、前記信号増幅手段の増幅率を各イメージセンサ毎に個別に調整する読み取り制御手段を有することを特徴とする。
【００１０】
本発明によれば、基準白板を有し、複数のイメージセンサによって読み取られた画像データの出力値をつなぎ合わせることによって原稿全体に係る画像データを読み取る画像読み取り装置であって、前記イメージセンサ毎に、信号増幅手段と、対応するイメージセンサから出力されるアナログ値をデジタル値に変換するＡ／Ｄ変換手段と、を有し、各イメージセンサが、前記基準白板を読み取る際に、各イメージセンサによる読み取り値が所定値に揃うよう、前記信号増幅手段の増幅率を各イメージセンサ毎に個別に調整する読み取り制御手段を有することにより、各ＣＩＳの白色基準値のばらつきを抑え、各ＣＩＳで共通の白色基準値を備えるよう、調整可能とすることができる。
【００１１】
また、本発明は、画像を形成する画像形成装置であって、特許請求の範囲に記載の請求項１乃至８何れか一項記載の画像読み取り装置を含み、前記イメージセンサ毎に調整された、前記基準白板の読み取り値に基づいて、画像を形成する画像形成処理手段を有することを特徴とする。
【００１２】
本発明によれば、画像を形成する画像形成装置であって、特許請求の範囲に記載の請求項１乃至８何れか一項記載の画像読み取り装置を含み、前記イメージセンサ毎に調整された、前記基準白板の読み取り値に基づいて、画像を形成する画像形成処理手段を有することにより、各ＣＩＳの白色基準値のばらつきに伴う画像形成の乱れを抑えることができる。
【００１３】
また、本発明は、上述したような課題を解決するための他の手段として、画像読み取り方法及び画像形成方法としてもよい。
【００１４】
なお、特許請求の範囲に記載の画像読み取り装置は、例えば後述する画像読み取り装置５０に対応する。また、特許請求の範囲に記載の画像形成装置は、例えば後述する画像形成装置１に対応する。また、特許請求の範囲に記載の読み取り制御手段は、例えば後述する読み取り制御部１０６に対応する。また、特許請求の範囲に記載の光源は、例えば後述する光源２００乃至２０４の何れかに対応する。また、特許請求の範囲に記載のイメージセンサは、例えば後述するＣＩＳ１００乃至１０４の何れかに対応する。また、特許請求の範囲に記載の信号増幅手段は、例えば後述するアンプ（又は信号増幅部）１乃至５の何れかに対応する。また、特許請求の範囲に記載のＡ／Ｄ変換手段は、例えば後述するＡ／Ｄ変換器１乃至５の何れかに対応する。また、特許請求の範囲に記載の基準白板は、例えば後述する基準白板２２に対応する。また、特許請求の範囲に記載の画像形成処理手段は、例えば後述する画像処理部１０８に対応する。
【発明の効果】
【００１５】
本発明によれば、各ＣＩＳの白色基準値のばらつきを抑え、各ＣＩＳで共通の白色基準値を備えるよう、調整可能とすることができる。
【発明を実施するための最良の形態】
【００１６】
以下、本発明の実施の形態について図面に基づいて説明する。
【実施例１】
【００１７】
図３は、画像形成装置の全体図である。図３に示されるように、画像形成装置１は、読み取り部１０と、作像部１１と、書き込み部１２と、手差し部１３と、ロール給紙部１４と、カセット給紙部１５と、を含む。
【００１８】
読み取り部１０は、後述する読み取り装置５０等に対応し、画像データ等を読み取る。書き込み部１１は、ロール給紙部１４等が給紙した紙に、例えば読み取り部１０が読み取った画像データ等に応じて、書き込みを行う。作像部１２は、ロール給紙部１４等が給紙した紙に、例えば読み取り部１０が読み取った画像データ等に応じて、作像を行う。手差し部１３は、ユーザ等が手差しで供給する紙を画像形成装置１に取り込む。ロール給紙部１４は、カセット給紙部１５等にセットされた紙を、書き込み部１１等に給紙する。カセット給紙部１５は、ユーザ等によってセットされた紙を、保持する。
【００１９】
以下、画像形成装置１の構成の一例を、図４に示す。図４は、画像形成装置の構成を示したブロック図（その１）である。
【００２０】
図４に示されるように、画像形成装置１は、画像読み取り装置５０と、画像処理部１０８と、制御部１０９を含む。また、画像読み取り装置５０は、各々１〜Ｎ個の読み取り画素を有するＣＩＳ１００〜１０４と、光源２００〜２０４と、を千鳥状に有し、また、イメージセンサＣＩＳ毎に信号増幅部（以下、アンプという）１〜５と、Ａ／Ｄ変換部１〜５と、を有していると共に、画像メモリ部１０５と、読み取り制御部１０６と、インターフェース回路１０７と、を有する。
【００２１】
光源２００〜２０４は、読み取り制御部１０６等からの要求に応じて、光を発する。ＣＩＳ１００〜１０４は、光信号（画像）を電気信号に変換する撮像素子である。アンプ１〜５は、電気信号等の増幅器である。Ａ／Ｄ変換部１〜５は、対応するＣＩＳ１００〜１０４等から出力される、又は対応するＣＩＳ１００〜１０４等から出力され、対応するアンプ１〜５において増幅される、アナログ値（信号）をデジタル値（信号）に変換する。
【００２２】
また、画像メモリ部１０５は、画像の読み取り処理等に係り、画像データ等を記憶する。読み取り制御部１０６は、後述する白色基準調整処理等を行う。インターフェース回路１０７は、画像読み取り装置５０と、画像形成装置１と、（又は画像読み取り装置５０の読み取り制御部１０６と、画像形成装置１の画像処理部１０８と、）を接続する。
【００２３】
また、制御部１０９は、画像形成装置１全体の制御を行う。画像処理部１０８は、読み取り制御部１０６等によって行われたＣＩＳ毎に調整された、基準白板の読み取り値に基づいて、画像を形成する。
【００２４】
ここで、白色基準調整処理は、例えばユーザ等が画像形成装置１を朝一番で立ち上げた（電源を入力した）際や、省エネモードによって一度電源が立ち下がった状態から再度立ち上げる際に、読み取り制御部１０６において毎回行われる。また、白色基準調整処理は、読み取り制御部１０６が、後述する図５に示される基準白板２２をＣＩＳに読み取らせることによって行われる。なお、本実施例では、本発明に係る画像読み取り装置５０も図１に示したようなＣＩＳの配置をしているものとして説明を行う。なお、このことは本発明の実施を制限するものではない。
【００２５】
以下、図１に示したようなＣＩＳの配置において、Ａ−Ａ’で切り取ったときの、画像読み取り装置５０の断面を図５に示す。図５は、画像読み取り装置の断面図である。なお、図５に示される断面図は、例えば、図３のＡで示される部分に対応する。
【００２６】
図５に示されるように、画像読み取り装置５０は、搬送ローラ２１と、基準白板２２と、ＣＩＳ１〜５と、を含む。
【００２７】
搬送ローラ２１は、原稿等を搬送する。基準白板２２は、白色基準調整処理に用いられる白板である。
【００２８】
以下、複数個のＣＩＳを設置し、読み取り制御部１０６で出力調整（増幅率調整又は白色基準調整）を行ったときの信号レベルの一例を、図６に示す。図６は、複数個のＣＩＳを設置し、読み取り制御部で出力調整を行ったときの信号レベルの一例を示す図である。
【００２９】
ここで、読み取り制御部１０６は、ユーザ等によって画像形成装置１の電源が入力されると、例えばＣＩＳ１００に対応する光源２００のみを点灯させ、該光源２００からの光によって白色基準調整を行う。この白色基準調整処理は、読み取り制御部１０６が、ＣＩＳ１００が基準白板２２を読み取った際の読み取り値（又は出力値）のピーク値を、ある所定出力値（図６の例では、出力基準値Ａ）に、もっていくように、アンプ１の増幅率を調整する処理である。例えば、白色基準調整処理を行ったＣＩＳの出力値（又はアナログ値）を、Ａ／Ｄ変換器で変換後のデジタル値は、８ビット処理の場合ならば、２５５より多少誤差等を考慮した２２０程度のデジタル値となる。
【００３０】
読み取り制御部１０６は、ＣＩＳ１００に対応するアンプ１の増幅率の調整（白色基準調整）が終了すると、ＣＩＳ１００に対応する光源２００を消灯する。このとき、その他のＣＩＳ１０１〜１０４に対応する光源２０１〜２０４は、点灯していないため、ＣＩＳ１００〜１０４の出力値をＡ／Ｄ変換器で変換後の値は０（黒色相当のデジタル値）又は０に近い値が出力される。
【００３１】
次に読み取り制御部１０６は、ＣＩＳ１０１に対応する光源２０１のみを点灯させ、ＣＩＳ１０１に対応するアンプ２に対して、上述したような白色基準調整処理を行う。読み取り制御部１０６は、ＣＩＳ１０２〜ＣＩＳ１０４（又はＣＩＳ１０２〜ＣＩＳ１０４に対応するアンプ３〜５）についても同様の処理を行い、全てのＣＩＳ（又はアンプ）について、白色基準調整処理を終了する。その結果、図６に示されるように、各ＣＩＳの出力値のピーク値が、基準値Ａに揃う。つまり、白色基準値のばらつきがなくなる。
【００３２】
また、白紙基準値のばらつきがなくなるため、画像処理部１０８等における画像形成の乱れを抑えることができる。つまり、読み取り制御部１０６は、白紙基準値のばらつきをなくすことによって、複数個あるＣＩＳの全画素にわたる出力の不均一性を、画像処理部１０８等において補正できるレベル内にすることができる。
【００３３】
なお、上述した例では、読み取り制御部１０６が、ＣＩＳ１００から順に白色基準調整処理を行うように説明を行ったが、他のＣＩＳから順に白色基準調整処理を行ってもよく、処理順序は問わない。以下の実施例等においても同様である。
【００３４】
以下、読み取り制御部１０６における白色基準調整処理及び画像処理部１０８における画像形成処理の一例を、図７に示す。図７は、読み取り制御部における白色基準調整処理及び画像処理部における画像形成処理の一例のフローチャートである。
【００３５】
例えば、読み取り制御部１０６は、画像形成装置１の電源が入力されると、ステップＳ１０からの処理を実行する。ステップＳ１０では、読み取り制御部１０６が、例えば変数Ｎに１を代入する。
【００３６】
ステップＳ１０に続いてステップＳ１１に進み、読み取り制御部１０６は、Ｎ番目のＣＩＳに対応する光源のみ点灯させる。
【００３７】
ステップＳ１１に続いてステップＳ１２に進み、読み取り制御部１０６は、Ｎ番目のＣＩＳに対して白色基準調整処理を実行する。つまり、読み取り制御部１０６は、Ｎ番目のＣＩＳに対して基準白板２２を読み取らせ、該読み取った際の読み取り値のピーク値が、ある所定出力値になるよう、Ｎ番目のＣＩＳに対応するアンプの増幅率を調整する。
【００３８】
Ｎ番目のＣＩＳに対する白色基準調整処理が終了すると、読み取り制御部１０６は、ステップＳ１２に続いてステップＳ１３に進み、Ｎ番目のＣＩＳに対応する光源を消灯させる。
【００３９】
ステップＳ１３に続いてステップＳ１４に進み、読み取り制御部１０６は、変数Ｎの値を１つインクリメントする。
【００４０】
ステップＳ１４に続いてステップＳ１５に進み、読み取り制御部１０６は、変数Ｎが、変数Ｎｍａｘ（Ｎｍａｘは、読み取り装置５０に含まれるＣＩＳの数）より大きいか否かを判定する。読み取り制御部１０６は、変数Ｎが変数Ｎｍａｘより大きいと判定すると（ステップＳ１５においてＹＥＳ）、ステップＳ１６に進み、変数Ｎが変数Ｎｍａｘ以下であると判定すると（ステップＳ１５においてＮＯ）、ステップＳ１１からの処理を繰り返す。
【００４１】
ステップＳ１６では、画像処理部１０８が、読み取り制御部１０６によって行われたＣＩＳ毎に調整された、基準白板２２の読み取り値（白色基準値）等に基づいて、画像を形成する。
【００４２】
上述したような処理を行うことによって、白色基準値のばらつきがなくなり、画像形成の乱れを抑えることができる。
【実施例２】
【００４３】
以下、画像形成装置１の他の例や、読み取り制御部１０６が実行する白色基準調整処理の他の例、及び画像処理部１０８が実行する画像形成処理の他の例を実施例２に示す。なお、以下では主に実施例１との相違点について示す。
【００４４】
図８は、画像形成装置の構成を示したブロック図（その２）である。図８に示されるように、実施例２における画像形成装置１の構成は、実施例１に示した画像形成装置１の構成と比べて、記憶部１１０が更に含まれている。
【００４５】
記憶部１１０は、読み取り制御部１０６等からの要求に応じて、後述する調整値等を記憶する。
【００４６】
読み取り制御部１０６は、ユーザ等によって画像形成装置１の電源が入力されると、全ての光源の電源を点灯させ、例えばＣＩＳ１００（又はＣＩＳ１００に対応するアンプ１）から白色基準調整処理を行う。なお、読み取り制御部１０６は、ＣＩＳ１００（又はＣＩＳ１００に対応するアンプ１）から白色基準調整処理を行う際、他のＣＩＳ１０１〜ＣＩＳ１０４に対応するアンプ２〜アンプ５の白色基準調整値は、強制的に最低値になるよう処理する。例えば、読み取り制御部１０６は、１倍〜１０倍の白色基準調整値で調整を行っている場合、ＣＩＳ１０１〜ＣＩＳ１０４に対応するアンプ２〜アンプ５の白色基準調整値を、強制的に最低感度である１倍（つまり、０ｄＢ）に設定してから、ＣＩＳ１００（又はＣＩＳ１００に対応するアンプ１）の白色基準調整を行う。
【００４７】
読み取り制御部１０６は、実施例１に示したように、ＣＩＳ１００が基準白板２２を読み取った際の読み取り値（又は出力値）のピーク値を、ある所定出力値（図６の例では、出力基準値Ａ）に、もっていくように、アンプ１の増幅率を調整する。読み取り制御部１０６は、白色基準調整が終了すると、白色基準調整後の増幅率の値（調整値）を、記憶部１１０に登録（記憶）する。
【００４８】
同様にして読み取り制御部１０６は、全てのＣＩＳ（又はＣＩＳに対応するアンプ）について白色基準調整が終了すると、記憶部１１０に登録した各調整値を、対応するアンプ１〜５に転送し、全ての光源の電源を消灯する。なお、読み取り制御部１０６は、電源を消灯した後に、各調整値を、対応するアンプ１〜５に転送するようにしてもよい。
【００４９】
上述したような白色基準調整処理の結果、実施例１の図６に示したように、各ＣＩＳの出力値のピーク値が、基準値Ａに揃う。つまり、白色基準値のばらつきがなくなる。
【００５０】
また、白紙基準値のばらつきがなくなるため、画像処理部１０８等における画像形成の乱れを抑えることができる。つまり、読み取り制御部１０６は、白紙基準値のばらつきをなくすことによって、複数個あるＣＩＳの全画素にわたる出力の不均一性を、画像処理部１０８等において補正できるレベル内にすることができる。
【００５１】
以下、読み取り制御部１０６における白色基準調整処理及び画像処理部１０８における画像形成処理の他の例を、図９に示す。図９は、読み取り制御部における白色基準調整処理及び画像処理部における画像形成処理の他の例のフローチャートである。
【００５２】
例えば、読み取り制御部１０６は、画像形成装置１の電源が入力されると、ステップＳ２０からの処理を実行する。ステップＳ２０では、読み取り制御部１０６が、例えば変数Ｎに１を代入する。
【００５３】
ステップＳ２０に続いてステップＳ２１に進み、読み取り制御部１０６は、全ての光源を点灯させる。
【００５４】
ステップＳ２１に続いてステップＳ２２に進み、読み取り制御部１０６は、Ｎ番目のＣＩＳを除いた他のＣＩＳ（例えば、現在Ｎ番目のＣＩＳが、ＣＩＳ１００に対応する場合、ＣＩＳ１０１〜ＣＩＳ１０４）に対応するアンプ（例えば、アンプ２〜アンプ５）の白色基準調整値を、強制的に最低値になるよう処理する。
【００５５】
ステップＳ２２に続いてステップＳ２３に進み、読み取り制御部１０６は、Ｎ番目のＣＩＳに対して白色基準調整処理を実行する。つまり、読み取り制御部１０６は、Ｎ番目のＣＩＳに対して基準白板２２を読み取らせ、該読み取った際の読み取り値のピーク値が、ある所定出力値になるよう、Ｎ番目のＣＩＳに対応するアンプの増幅率を調整する。
【００５６】
ステップＳ２３に続いてステップＳ２４に進み、読み取り制御部１０６は、ステップＳ２３において調整した増幅率の値（調整値）を、記憶部１１０に登録（記憶）する。
【００５７】
ステップＳ２４に続いてステップＳ２５に進み、読み取り制御部１０６は、変数Ｎの値を１つインクリメントする。
【００５８】
ステップＳ２５に続いてステップＳ２６に進み、読み取り制御部１０６は、変数Ｎが、変数Ｎｍａｘ（Ｎｍａｘは、読み取り装置５０に含まれるＣＩＳの数）より大きいか否かを判定する。読み取り制御部１０６は、変数Ｎが変数Ｎｍａｘより大きいと判定すると（ステップＳ２６においてＹＥＳ）、ステップＳ２７に進み、変数Ｎが変数Ｎｍａｘ以下であると判定すると（ステップＳ２６においてＮＯ）、ステップＳ２１からの処理を繰り返す。
【００５９】
ステップＳ２７では、画像処理部１０８が、記憶部１１０に登録した各調整値を、対応するアンプ（例えば、アンプ１〜５）に転送する。
【００６０】
ステップＳ２７に続いてステップＳ２８に進み、画像処理部１０８は、読み取り制御部１０６によって行われたＣＩＳ毎に調整された、基準白板２２の読み取り値（白色基準値）等に基づいて、画像を形成する。
【００６１】
上述したような処理を行うことによって、白色基準値のばらつきがなくなり、画像形成の乱れを抑えることができる。
【００６２】
なお、実施例２に示したような白色基準調整処理を行う場合、画像形成装置１は、光源をＣＩＳ毎に対応させて有する構成としなくてもよい。
【００６３】
図１０は、画像形成装置の構成を示したブロック図（その３）である。図１０に示される画像形成装置１の構成は、図８に示した画像形成装置１の構成と比べて、光源２００が１つだけ含まれている。図１０に示すような構成とすることにより、製造コストを抑え、画像形成装置の値段を安くすることができる。
【００６４】
上述したように、本発明によれば、各ＣＩＳの白色基準値のばらつきを抑え、各ＣＩＳで共通の白色基準値を備えるよう、調整可能とすることができる。
【００６５】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００６６】
【図１】画像読み取り装置のＣＩＳ配置図である。
【図２】複数個のＣＩＳを設置したときの信号レベルの一例を示す図である。
【図３】画像形成装置の全体図である。
【図４】画像形成装置の構成を示したブロック図（その１）である。
【図５】画像読み取り装置の断面図である。
【図６】複数個のＣＩＳを設置し、読み取り制御部で出力調整を行ったときの信号レベルの一例を示す図である。
【図７】読み取り制御部における白色基準調整処理及び画像処理部における画像形成処理の一例のフローチャートである。
【図８】画像形成装置の構成を示したブロック図（その２）である。
【図９】読み取り制御部における白色基準調整処理及び画像処理部における画像形成処理の他の例のフローチャートである。
【図１０】画像形成装置の構成を示したブロック図（その３）である。
【符号の説明】
【００６７】
１                画像形成装置
１０              読み取り部
１１              書き込み部
１２              作像部
１３              手差し部
１４              ロール給紙部
１５              カセット給紙部
２１              搬送ローラ
２２              基準白板
５０              画像読み取り装置
１００〜１０４    イメージセンサ（ＣＩＳ）
１０５            画像メモリ部
１０６            読み取り制御部
１０７            インターフェース部
１０８            画像処理部
１０９            制御部
１１０            記憶部
２００〜２０４    光源
【図１】
2005198258.tif 000003
【図２】
2005198258.tif 000004
【図３】
2005198258.tif 000005
【図４】
2005198258.tif 000006
【図５】
2005198258.tif 000007
【図６】
2005198258.tif 000008
【図７】
2005198258.tif 000009
【図８】
2005198258.tif 000010
【図９】
2005198258.tif 000011
【図１０】
2005198258.tif 000012